(57)【要約】【課題】簡易鋼製縦型伸縮装置において、伸縮装置の耐久性を向上させる同時にコンクリートまたはモルタル部の角欠けを防止する。【解決手段】波板形状の垂直鋼板１１Ａ、１１Ｂを、遊間１２を隔てて向かい合う床版１３Ａ、１３Ｂの端部に設けられた箱抜き部１４Ａ、１４Ｂにアンカー部材１５Ａ〜１８Ａ、１５Ｂ〜１８Ｂ等を介して固定する。垂直鋼板１１Ａ、１１Ｂにおいて、互いに相対する面（外側面）に水漏れ防止用のシール部材２２を架設する。垂直鋼板１１Ａ、１１Ｂの上端部をシール部材２２と一体的に成型されたカバー部によって被覆する。カバー部にコンクリート１９Ａ、１９Ｂ側に路面に沿って延出する延出部を設ける。延出部の下側の面をテーパー状に成形し、コンクリート１９Ａ、１９Ｂの角部の面取りを行い、角欠けを防止する。【選択図】図１
2008285884.tif 000002
【特許請求の範囲】
【請求項１】
遊間に沿って鉛直に配置される垂直板部材と、
前記垂直板部材の上端面を被覆するカバー部とを備え、
前記カバー部には、前記カバー部に接するコンクリートまたはモルタルの面取りを行う延出部が設けられる
ことを特徴とする橋梁用簡易鋼製縦型伸縮装置。
【請求項２】
前記カバー部の硬度が、前記遊間を挟んで相対して配置される一対の前記垂直板部材の間に架設されるシール部材の硬度に比べ高いことを特徴とする請求項１に記載の橋梁用簡易鋼製縦型伸縮装置。
【請求項３】
前記カバー部と前記シール部材が一体成型されたことを特徴とする請求項２に記載の橋梁用簡易鋼製縦型伸縮装置。
【請求項４】
前記カバー部の硬度Ａ７０以上であることを特徴とする請求項１〜３の何れか一項に記載の橋梁用簡易鋼製縦型伸縮装置。
【請求項５】
前記延出部の下面側がテーパー状に成形されたことを特徴とする請求項１〜４の何れか一項に記載の橋梁用簡易鋼製縦型伸縮装置。
【発明の詳細な説明】
【技術分野】
【０００１】
本発明は、橋梁同士もしくは橋梁と橋台間の遊間に設置される伸縮装置に関する。特に本発明は、道路橋に用いられる簡易鋼製縦型伸縮装置に関する。
【背景技術】
【０００２】
簡易鋼製縦型伸縮装置では、例えば波形鋼板や櫛形鋼板が遊間に沿って鉛直に配置される。鋼板は遊間を隔てて向かい合う橋桁の床版端部や橋台のパラペット端部に設けられた箱抜き部にアンカー部材等を介して固定され、箱抜き部にはコンクリートが打設される。鋼板は箱抜き部における遊間側の内型枠の役割を果たし、その上端面は路面まで達して表面に露出する。
【０００３】
このような構成において、箱抜き部の後打ちコンクリート表面に形成されたモルタル部分が摩耗すると、路面に鋼板上端部が突出することとなり、車両の走行性を損なうとともに騒音の増大をもたらし、鋼板自体にも車両からの荷重が直接かかるため製品の耐久性を悪化させる。また、遊間を隔てて対面する鋼板同士の間には、シールゴムが配置され、シールゴムの両端はそれぞれ両側の鋼板に接着される。鋼板上端面が路面にまで達する構成では、鋼板とシールゴムとの間の接着界面が外部に露出するため、鋼板の発錆の影響などによりシールゴムが脱落し易い。一方、鋼板間に架設され、ゴム、合成樹脂などから形成される伸縮板の縁部により鋼板の上端面を被覆した構成も提案されている（特許文献１）。
【特許文献１】特開昭５０−０９１９２９号公報
【発明の開示】
【発明が解決しようとする課題】
【０００４】
しかし、特許文献１のような構成において、被覆を厚くすると被覆部材（伸縮板）の弾性変形が大きくなり、鋼板部における荷重支持のための壁面としての機能が損なわれる。したがって、車輪が通過する際、被覆部材に接するモルタル部の角部に角欠けが発生する。このため、鋼板の上端部を被覆したものとしては、薄い被覆部材（３ｍｍ以下）を用いたものしか使用されていない。しかし、ゴムなどの被覆部材の厚さを薄くすると、摩耗により鋼材がすぐに露出してしまい、被覆を行わない場合と同様の問題が発生する。
【０００５】
本発明は、簡易鋼製縦型伸縮装置において、伸縮装置の耐久性を向上させる同時にコンクリートまたはモルタル部の角欠けを防止することを目的としている。
【課題を解決するための手段】
【０００６】
本発明の橋梁用簡易鋼製縦型伸縮装置は、遊間に沿って鉛直に配置される垂直板部材と、垂直板部材の上端面を被覆するカバー部とを備え、カバー部には、カバー部に接するコンクリートまたはモルタルの面取りを行う延出部が設けられたことを特徴としている。
【０００７】
カバー部の硬度は、遊間を挟んで相対して配置される一対の垂直板部材の間に架設されるシール部材の硬度に比べ高いことが好ましく、カバー部とシール部材は一体成型されることが好ましい。カバー部の硬度は例えば硬度Ａ７０以上である。例えば延出部の下面側はテーパー状に成形される。
【発明の効果】
【０００８】
以上のように、本発明によれば、簡易鋼製縦型伸縮装置において、伸縮装置の耐久性を向上させる同時にコンクリートまたはモルタル部の角欠けを防止することができる。
【発明を実施するための最良の形態】
【０００９】
以下、本発明の実施の形態を、図面を参照して説明する。
図１は、道路橋の遊間に設置される本発明の第１実施形態である簡易鋼製縦型伸縮装置の側断面図であり、図２は、図１の簡易鋼製縦型伸縮装置の平面図である。
【００１０】
本実施形態の簡易鋼製縦型伸縮装置１０は、長手方向に沿って所定の形状に曲げられた鋼板など一定の強度と剛性を備えた板部材を鉛直に配置した垂直鋼板１１Ａ、１１Ｂから主に構成される。垂直鋼板１１Ａ、１１Ｂは例えば波板状鋼材であり、垂直鋼板１１Ａ、１１Ｂは遊間１２を隔てて向かい合う床版１３Ａ、１３Ｂの端部に設けられた箱抜き部１４Ａ、１４Ｂにアンカー部材１５Ａ〜１８Ａ、１５Ｂ〜１８Ｂ等を介して固定される。その後、箱抜き部１４Ａ、１４Ｂには舗装面Ｓと同じ高さまでコンクリート１９Ａ、１９Ｂが打設される（または路面近傍はモルタル部とされる）。なお、コンクリート打設時、垂直鋼板１１Ａ、１１Ｂは箱抜き部１４Ａ、１４Ｂにおける遊間１２側の内型枠の役割を果たす。
【００１１】
垂直鋼板１１Ａ、１１Ｂは、遊間１２を挟んで橋桁幅員方向に沿って互いに一定の間隔を隔てて配置され、垂直鋼板１１Ａ、１１Ｂの間には、波形の垂直鋼板１１Ａ、１１Ｂに沿ってウレタンフォームなど弾性を有する発泡体からなる防塵用の防塵材２０が介挿される。また垂直鋼板１１Ａ、１１Ｂには、水平に配置される底板２１Ａ、２１Ｂがそれぞれ設けられ、床版１３Ａ、１３Ｂの端部から遊間１２に延出する領域の下側に対する型枠の役割を果たす。
【００１２】
垂直鋼板１１Ａ、１１Ｂにおいて、互いに相対する面（外側面）にはゴムなどからなる水漏れ防止用のシール部材２２が架設される。なお、図１において、垂直鋼板１１Ａ、１１Ｂおよびアンカー部材１５Ａ〜１８Ａ、１５Ｂ〜１８Ｂに関しては、図２の領域Ａを図面左手から見た側面図として描かれる。また、図２において、図面左側は、コンクリート１９Ａ、１９Ｂ打設前かつ防塵材２０介挿前の垂直鋼板１１Ａ、１１Ｂおよびアンカー部材１５Ａ〜１８Ａ、１５Ｂ〜１８Ｂにおける関係が示され、右側には、コンクリート１９Ａ、１９Ｂ打設後、かつ防塵材２０介挿後の状態が描かれる。
【００１３】
図３に、垂直鋼板１１Ａ、１１Ｂの上部拡大図を示す。図３に示されるように、垂直鋼板１１Ａ、１１Ｂの上端部は、シール部材２２と一体的なカバー部２４Ａ、２４Ｂによって被覆される。すなわち、シール部材２２の両側は、垂直鋼板１１Ａ、１１Ｂの外側面に接着されるとともに、外側面に沿って上端部にまで達し、カバー部２４Ａ、２４Ｂに接続される。また防塵材２０は垂直鋼板１１Ａ側のカバー部２４Ａおよび外側面に沿ったシール部材２２と、垂直鋼板１１Ｂ側のカバー部２４Ｂおよび外側面に沿ったシール部２２との間に装着される。
【００１４】
図３においてカバー部２４Ａ、２４Ｂは斜線が施された領域に対応し、例えば硬度Ａ７０以上（好ましくは硬度約Ａ８０）のＣＲやＥＰＴなどのゴム部材、あるいは硬質塩化ビニルやＰＰ等の硬質の熱可塑性樹脂などから構成される。一方、図３において白抜きの領域として示されるシール部材２２は、例えば硬度Ａ７０未満（好ましくは硬度約Ａ５５）のＣＲやＥＰＴなどのゴム部材、あるいは軟質塩化ビニルやＴＰＯなどの軟質の熱可塑性樹脂から構成される。
【００１５】
本実施形態においてカバー部２４Ａ、２４Ｂはシール部材２２と例えば一体成型されるが別体とすることも可能である。また、カバー部２４Ａ、２４Ｂおよびシール部材２２は、垂直鋼板１１Ａ、１１Ｂに例えば加硫接着される。カバー部２４Ａ、２４Ｂは、垂直鋼板１１Ａ、１１Ｂの上端面から両側面の上部までを被覆し、上端面における厚さは約４〜１５ｍｍ（厚さａ）とされる。すなわち、本実施形態では、従来よりも厚みを持ち、かつ硬質な素材により垂直鋼板１１Ａ、１１Ｂの上端部が被覆されるため、被覆部材が早期に摩耗し、垂直鋼板の発錆等によりシール部材の剥離が発生することを防止できる。また、車両荷重による弾性変形が抑えられるため、カバー部２４Ａ、２４Ｂと接するコンクリート１９Ａ、１９Ｂの角欠けを抑制できる。
【００１６】
また更に、本実施形態では、カバー部２４Ａ、２４Ｂがコンクリート１９Ａ、１９Ｂ側に路面に沿って例えば５〜１５ｍｍ（長さｂ）延出する延出部２５Ａ、２５Ｂを備える。延出部２５Ａ、２５Ｂは、コンクリート１９Ａ、１９Ｂ（あるいはモルタル部）と接する下側の面が例えばテーパー状に成形される。すなわち、コンクリート打設時、コンクリート１９Ａ、１９Ｂ（あるいはモルタル部）は、延出部２５Ａ、２５Ｂのテーパー面に沿って成型されるため、カバー部２４Ａ、２４Ｂに接する面が予め面取りされることとなる。これにより、コンクリート１９Ａ、１９Ｂの角欠けを更に抑制できる。なお、本実施形態では、延出部２５Ａ、２５Ｂの先端部の強度を維持するため、先端部は切り落とされた形状とされているが、先端までテーパー形状とされていてもよい。
【００１７】
以上のように第１実施形態によれば、カバー部の耐摩耗性を向上し、垂直鋼板へ車両の荷重が直接かかることを防止できるとともに、カバー部に接するコンクリートの角欠けを防止できる。すなわち簡易鋼製縦型伸縮装置の耐久性を向上させる同時にコンクリートあるいはモルタル部の角欠けを防止することができる。また、本実施形態では、カバー部とシール部材とを一体成型しているため製造コストを低減することができる。また更に、カバー部を相対的に高硬度、シール部材を相対的に低硬度としたため、カバー部の耐久性を向上しながらも、橋桁の動きにシール部材を柔軟に追従させることができる。
【００１８】
次に図４を参照して、本発明の第２実施形態の簡易鋼製縦型伸縮装置について説明する。図４は、第１実施形態の図３に対応する図面であり、その他の構成は第１実施形態と同様である。以下の説明では、第１実施形態と異なる構成に関してのみ説明を行い、同一の構成に関しては同一参照符号を用いる。
【００１９】
第２実施形態の波板状の垂直鋼板を用いた簡易鋼製縦型伸縮装置においては、シール部材２２’とカバー部２４Ａ’、２４Ｂ’との接続の態様が第１実施形態と異なるとともに、防塵材２０が用いられないことが第１実施形態と異なる。すなわち、第１実施形態においては、垂直鋼板１１Ａ、１１Ｂの間に防塵材２０を配置するため、シール部材２２の両側はカバー部２４Ａ、２４Ｂから防塵材２０を配置するのに十分な距離を隔てて垂直鋼板１１Ａ、１１Ｂに連結されたが、第２実施形態では防塵材２０を使用しないため、シール部材２２’の両側は略直接カバー部２４Ａ’、２４Ｂ’に連結される。
【００２０】
カバー部２４Ａ’、２４Ｂ’には、第１実施形態と同様に延出部２５Ａ’、２５Ｂ’が設けられ、コンクリートあるいはモルタル部の角欠けを防止するためテーパー状に成形される。なお、カバー部２４Ａ’、２４Ｂ’の厚さや延出部２５Ａ’、２５Ｂ’の長さ等、またカバー部２４Ａ’、２４Ｂ’およびシール部材２２’の素材については第１実施形態と同様である。
【００２１】
以上のように、第２実施形態においても第１実施形態と同様の効果を得ることができる。なお、本実施形態では波形鋼板を例に説明を行ったが櫛形鋼板を用いた場合など、他の簡易鋼製縦型伸縮装置にも本発明を適用できる。
【図面の簡単な説明】
【００２２】
【図１】本発明の第１実施形態である簡易鋼製縦型伸縮装置の側断面図である。
【図２】図１の簡易鋼製縦型伸縮装置の平面図である。
【図３】簡易鋼製縦型伸縮装置の波形垂直鋼板上部の部分拡大図である。
【図４】第２実施形態の簡易鋼製縦型伸縮装置における波形垂直鋼板上部の部分拡大図である。
【符号の説明】
【００２３】
１０  簡易鋼製縦型伸縮装置
１１Ａ、１１Ｂ  垂直鋼板
１２  遊間
１３Ａ、１３Ｂ  床版
１４Ａ、１４Ｂ  箱抜き部
１９Ａ、１９Ｂ  コンクリート（モルタル部）
２２、２２’  シール部材
２４Ａ、２４Ｂ、２４Ａ’、２４Ｂ’  カバー部
２５Ａ、２５Ｂ、２５Ａ’、２５Ｂ’  延出部
Ｓ  舗装面
【図１】
2008285884.tif 000003
【図２】
2008285884.tif 000004
【図３】
2008285884.tif 000005
【図４】
2008285884.tif 000006